(57)【特許請求の範囲】
【請求項１】
コネクタをそれぞれ取り付けることのできる複数のコネクタ取付部を有し、各コネクタ取付部に、それぞれコネクタを固定するためのロック手段が設けられたコネクタブラケットにおいて、
前記各ロック手段に、ロック方向への付勢力に抗してロック解除方向へ変位させることで前記コネクタに対するロックを解除し得る解除操作部が設けられ、少なくとも複数の前記ロック手段の解除操作部が共通のレバーに連結されていることを特徴とするコネクタブラケット。
【請求項２】
請求項１に記載のコネクタブラケットであって、
前記ロック手段として、基端がブラケット本体に固定され該基端を支点にロック位置からロック解除位置に撓み変形が可能であり且つ自由端側を前記解除操作部としたロックアームが設けられ、そのロックアームの自由端側に前記レバーが連結されていることを特徴とするコネクタブラケット。
【請求項３】
請求項２に記載のコネクタブラケットであって、
前記コネクタ取付部に、前記コネクタを着脱する際に該コネクタをスライドさせるスライド面が設定され、そのスライド面内に、前記ロックアームの両側に位置させて、前記コネクタをスライドさせることで、該コネクタを前記スライド面と直交する方向に離脱不能に係合すると共に、前記ロックアームのロック部に対してコネクタ側のロック部を係合させる一対のスライドガイドが設けられていることを特徴とするコネクタブラケット。
【請求項４】
請求項１〜３のいずれか１項に記載のコネクタブラケットであって、
前記コネクタ取付部がブラケット本体の上面に一列に配列され、各コネクタ取付部の前記ロック手段の解除操作部が同じ方向へ向けて設けられ、各ロック手段の解除操作部が、前記コネクタ取付部の並ぶ方向と平行に配設された前記レバーに連結されていることを特徴とするコネクタブラケット。
【発明の詳細な説明】
【技術分野】
【０００１】
本発明は、複数のコネクタを並べて固定することのできる主に車載用のコネクタブラケットに係り、特に、車両解体時における易解体性を高めたコネクタブラケットに関するものである。
【背景技術】
【０００２】
従来、複数のコネクタを１つの部材に並べて装着し、この部材を車体等に取り付けることが行われている（例えば、特許文献１参照）。図４はそのような目的で提供されたコネクタブラケットの構成を示し、図５はそのコネクタブラケット上の１つのコネクタ取付部にコネクタを取り付けた状態を示す部分断面図である。
【０００３】
このコネクタブラケット１１０は、長手方向の両端にボルト固定用フランジ１２の付いた帯板状のブラケット本体１１の上面に、コネクタ４０をそれぞれ取り付けることのできる複数のコネクタ取付部１５を配列し、各コネクタ取付部１５に、それぞれコネクタ４０を固定するためのロック手段１２０を設けたものである。ロック手段１２０としては、上下方向に可撓性を有する長さの短いロックアーム１２３が設けられている。
【０００４】
各コネクタ取付部１５には、コネクタ４０を着脱する際にコネクタ４０をスライドさせるためのスライド面１１ａ（この例では、ブラケット本体１１の上面が共通なスライド面となっているが、仮想的なスライド面の場合もある）が設定されており、そのスライド面１１ａ内に、ロックアーム１２３の両側に位置させて、コネクタ４０をスライドさせることで、コネクタ４０をスライド面１１ａと直交する方向に離脱不能に係合すると共に、ロックアーム１２３に対してコネクタ４０側のロック部４２を係合させる一対のスライドガイド２１、２１が設けられている。
【０００５】
このコネクタブラケット１１０にコネクタ４０を取り付ける場合は、コネクタブラケット１１０側のスライドガイド２１にコネクタ４０の底面に設けたスライドガイド４１を係合させ、スライドガイド２１に沿ってコネクタ４０を前側から後側にスライドさせる。そうすると、その段階で、スライドガイド２１がコネクタ４０をスライド面１１ａと直交する上側方向に離脱しないように保持すると共に、スライド動作に伴って、コネクタ４０側のロック突起（ロック部）４２が、ロックアーム１２３を下方へ撓ませながら、ロックアーム１２３の先端部を乗り越える。そして、ロックアーム１２３の先端部をロック突起４２が乗り越えた段階で、ロックアーム１２３が元の位置に復元し、それにより、ロックアーム１２３とロック突起４２が互いに係合して、コネクタ４０が前側へ抜けないようにロックされる。
【０００６】
一方、この状態からコネクタ４０を取り外す場合は、図５に示すように、コネクタ４０の下側の隙間に前方から治具Ｊの先端を差し込み、ロックアーム１２３を下側（解除方向）に強制的に撓ませる。そして、ロックアーム１２３を解除方向に撓ませた状態のまま、コネクタ４０を前側にスライドさせて、スライドガイド２１から抜く。これにより、コネクタ４０をコネクタ取付部１５から取り外すことができる。
【特許文献１】特開平１０−２２８９４３号公報
【発明の開示】
【発明が解決しようとする課題】
【０００７】
ところで、上述したコネクタブラケット１１０では、コネクタ４０を取り外す場合に、個別にロックアーム１２３を治具Ｊにより解除方向に撓ませながらコネクタ４０をスライドガイド２１から抜かなくてはならず、コネクタ４０の取り外しに手間と時間がかかる。従って、車両解体に伴ってワイヤーハーネスの端末に取り付けたコネクタを車体から取り外すような場合に、コネクタの解体性が悪くなるという問題があった。
【０００８】
本発明は、上記事情を考慮し、車両解体時におけるコネクタの解体性を高めたコネクタブラケットを提供することを目的とする。
【課題を解決するための手段】
【０００９】
請求項１の発明は、コネクタをそれぞれ取り付けることのできる複数のコネクタ取付部を有し、各コネクタ取付部に、それぞれコネクタを固定するためのロック手段が設けられたコネクタブラケットにおいて、前記各ロック手段に、ロック方向への付勢力に抗してロック解除方向へ変位させることで前記コネクタに対するロックを解除し得る解除操作部が設けられ、少なくとも複数の前記ロック手段の解除操作部が共通のレバーに連結されていることを特徴とする。
【００１０】
請求項２の発明は、請求項１に記載のコネクタブラケットであって、前記ロック手段として、基端がブラケット本体に固定され該基端を支点にロック位置からロック解除位置に撓み変形が可能であり且つ自由端側を前記解除操作部としたロックアームが設けられ、そのロックアームの自由端側に前記レバーが連結されていることを特徴とする。
【００１１】
請求項３の発明は、請求項２に記載のコネクタブラケットであって、前記コネクタ取付部に、前記コネクタを着脱する際に該コネクタをスライドさせるスライド面が設定され、そのスライド面内に、前記ロックアームの両側に位置させて、前記コネクタをスライドさせることで、該コネクタを前記スライド面と直交する方向に離脱不能に係合すると共に、前記ロックアームのロック部に対してコネクタ側のロック部を係合させる一対のスライドガイドが設けられていることを特徴とする。
【００１２】
請求項４の発明は、請求項１〜３のいずれか１項に記載のコネクタブラケットであって、前記コネクタ取付部がブラケット本体の上面に一列に配列され、各コネクタ取付部の前記ロック手段の解除操作部が同じ方向へ向けて設けられ、各ロック手段の解除操作部が、前記コネクタ取付部の並ぶ方向と平行に配設された前記レバーに連結されていることを特徴とする。
【発明の効果】
【００１３】
請求項１の発明によれば、レバーを解除方向へ変位させるだけで、複数のコネクタのロックを同時に外すことができる。従って、複数のコネクタを１回の操作で取り外すことが可能であり、コネクタの解体性の向上が図れる。
【００１４】
請求項２の発明によれば、複数のロックアームの自由端に共通のレバーを連結するだけでよいので、構成が単純で、コストをかけずに、容易に実現することができる。
【００１５】
請求項３の発明によれば、スライドガイドとロックアームの組み合せでコネクタをロックするものであるから、ガタつきなくコネクタを装着することができ、コネクタ取り外し時には、レバーを解除操作しながらコネクタをスライドガイドから抜くだけで、コネクタを取り外すことができる。
【００１６】
請求項４の発明によれば、レバーをコネクタ取付部の並び方向と平行に配置したので、レバーをコンパクトで単純な構成にすることができると共に、レバーをコネクタの嵌合の邪魔にならないように配置することができる。また、各コネクタに接続された電線を同じ方向に延ばすことが可能であるから、レバーを解除方向に操作しながら、まとめて電線を同じ方向に引っ張るだけで、全部のコネクタを一緒に取り外すことができ、車両解体時のワイヤーハーネスの解体性の向上に寄与することができる。
【発明を実施するための最良の形態】
【００１７】
以下、本発明の実施形態を図面を参照して説明する。
【００１８】
図１は実施形態のコネクタブラケットの構成を示す斜視図、図２は同コネクタブラケットに、ワイヤーハーネスの端末に接続された各コネクタを装着した状態を示す斜視図、図３はコネクタを装着した部分の断面図である。
【００１９】
このコネクタブラケット１０は、長手方向の両端にボルト固定用フランジ１２の付いた帯板状のブラケット本体１１の上面に、コネクタ４０をそれぞれ取り付けることのできる複数のコネクタ取付部１５を配列し、各コネクタ取付部１５に、それぞれコネクタ４０を固定するためのロック手段２０を設けたものである。
【００２０】
ロック手段２０としては、上下方向に可撓性を有するロックアーム２２が設けられている。ロックアーム２２は、コネクタ４０の挿入方向における前端がブラケット本体１１に固定され、その前端を支点にして、ロック位置（上側位置）からロック解除位置（下側位置）に撓み変形が可能であり、且つ、後方に延ばした自由端を解除操作部２２ａとしたものであり、コネクタ４０の底面のロック突起（ロック部）４２に係合するロック突起（ロック部）２３を、自由端の近くの上面に有している。そして、解除操作部２２ａを、ロック方向（上側）への付勢力に抗してロック解除方向（下側）へ変位させることで、コネクタ４０に対するロックを解除し得るようになっている。
【００２１】
複数のコネクタ取付部１５は一列に配列されており、各ロックアーム２２の解除操作部２２ａは、同じ方向へ向いて並んでいる。
【００２２】
各コネクタ取付部１５には、コネクタ４０を着脱する際にコネクタ４０をスライドさせるためのスライド面１１ａ（この例では、ブラケット本体１１の上面が共通なスライド面となっているが、仮想的なスライド面の場合もある）が設定されており、そのスライド面１１ａ内に、ロックアーム２２の両側に位置させて、コネクタ４０をスライドさせることで、コネクタ４０をスライド面１１ａと直交する方向に離脱不能に係合すると共に、ロックアーム２２のロック突起２３に対してコネクタ４０側のロック突起４２を係合させる一対のスライドガイド２１が設けられている。
【００２３】
また、このコネクタブラケット１０には、コネクタ取付部１５の背後に位置させて、コネクタ取付部１５の並ぶ方向と平行に共通のレバー３０が配設されており、全ロックアーム２２の解除操作部２２ａが、このレバー３０の側部に突設した腕部３１にそれぞれ連結されている。
【００２４】
次に作用を説明する。
【００２５】
このコネクタブラケット１０にコネクタ４０を取り付ける場合は、コネクタブラケット１０側のスライドガイド２１にコネクタ４０の底面に設けたスライドガイド４１を係合させ、スライドガイド２１に沿ってコネクタ４０を前側から後側にスライドさせる。そうすると、その段階で、スライドガイド２１がコネクタ４０をスライド面１１ａと直交する上側方向に離脱しないように保持すると共に、スライド動作に伴って、コネクタ４０側のロック突起４２が、ロックアーム２２を下方へ撓ませながら、ロックアーム２２のロック突起２３を乗り越える。そして、ロックアーム２２のロック突起２３をコネクタ４０側のロック突起４２が乗り越えた段階で、ロックアーム２２が元の位置に復元し、それにより、ロックアーム２２のロック突起２３とコネクタ４０のロック突起４２が互いに係合して、コネクタ４０が前側へ抜けないようにロックされる。この場合、スライドガイド２１とロックアーム２２の組み合せでコネクタ４０をロックするようにしているから、ガタつきなく容易にコネクタ４０をコネクタブラケット１０に取り付けることができる。
【００２６】
一方、コネクタ４０を取り外す場合は、レバー３０を下側（解除方向）に押す。そうすると、レバー３０の操作によって全部のロックアーム２２が解除側に撓むので、各コネクタ４０のロックを一斉に外すことができる。従って、レバー３０を押しながら、図２に示すように、ワイヤーハーネスＷを矢印Ｆ方向（手前側）に引っ張るだけで、複数のコネクタ４０を全て１回の操作でコネクタブラケット１０から取り外すことができ、車両解体時のワイヤーハーネスＷの解体性の向上に寄与することができる。
【００２７】
この場合、全ロックアーム２２の自由端（解除操作部２２ａ）に共通のレバー３０を連結するだけでよいので、構成が単純であり、コストをかけずに、容易に実現することができる。
【００２８】
また、本実施形態のコネクタブラケット１０では、レバー３０をコネクタ取付部１５の並び方向と平行に配置したので、レバー３０をコンパクトで単純な構成にすることができると共に、レバー３０をコネクタ４０の嵌合の邪魔にならないように配置することができる。
【００２９】
また、このコネクタブラケット１０の場合、コネクタ４０の取り付けを誤った場合にも、レバー３０の操作により簡単にコネクタ４０を取り外せるので、治具を差し込んでロックを外す場合と比べて、コネクタ４０やコネクタブラケット１０に損傷を与える心配もない。
【００３０】
なお、上記実施形態では、全部のロックアーム２２にレバー３０を連結したが、必ずしも全部のロックアーム２２にレバー３０を連結しないでもよく、少なくとも複数のロックアーム２２の解除操作部２２ａに共通のレバー３０を連結してあれば、コネクタ４０の取り外し性の改善を図ることができる。
【図面の簡単な説明】
【００３１】
【図１】本発明の実施形態のコネクタブラケットの構成を示す斜視図である。
【図２】同コネクタブラケットに、ワイヤーハーネスの端末に接続された各コネクタを装着した状態を示す斜視図である。
【図３】同コネクタブラケットにコネクタを装着した部分の断面図である。
【図４】従来のコネクタブラケットの構成を示す斜視図である。
【図５】同コネクタブラケット上の１つのコネクタ取付部にコネクタを取り付けた状態を示す部分断面図である。
【符号の説明】
【００３２】
１０  コネクタブラケット
１１  ブラケット本体
１１ａ  スライド面
１５  コネクタ取付部
２０  ロック手段
２１  スライドガイド
２２  ロックアーム
２２ａ  解除操作部
２３  ロック突起（ロック部）
４０  コネクタ
４２  ロック突起（ロック部）
【図１】
0005014167.tif 000002
【図２】
0005014167.tif 000003
【図３】
0005014167.tif 000004
【図４】
0005014167.tif 000005
【図５】
0005014167.tif 000006